(57)【要約】【課題】本発明は、巻くことができ、不感知部が少なく不審者等の検出能に優れ、渡り配線が不要で、製造し易く、更に、スイッチ電極の復元性が良好なマットスイッチを提供する。【解決手段】本発明に係るマットスイッチは、突出端３ａを鋭利に形成した接触用突部３と、この接触用突部３の外側を囲む配置で、且つ、この接触用突部３よりも突出長が小さい補強用環状突部４とを突設した矩形状の電極基板２を、間隔を隔て、複数個縦横に、且つ、全体として矩形状に列設するとともに、各電極基板２を導電性の連結片２ａで連結して構成され、上側に配置したスイッチ電極用平面電極板３１と、下側に対向配置した平板状の電極板４２と、スイッチ電極用平面電極板３１、電極板４２間に介在した弾性絶縁材４３と、これらの外周を覆う弾性絶縁材からなる外被４４と、を有するものである。【選択図】図１２
2008159422.tif 000002
【特許請求の範囲】
【請求項１】
電極基板から突設した突出端を鋭利に形成した接触用突部と、この接触用突部の外側を囲むように前記電極基板から突設した前記接触用突部よりも突出長が小さい補強用環状突部と、を有する一方の電極板と、
前記一方の電極板と対向配置した他方の電極板と、
前記両電極板間に介在した弾性絶縁材と、
を有することを特徴とするスイッチ電極。
【請求項２】
電極基板から突設した突出端を鋭利に形成した接触用突部と、この接触用突部の外側を囲むように前記電極基板から突設した前記接触用突部よりも突出長が小さい補強用環状突部と、を有する上側電極板と、
前記上側電極板と対向配置した平板状の下側電極板と、
前記上側電極板、下側電極板間に介在したスポンジ材等からなる弾性絶縁材と、
を有することを特徴とするスイッチ電極。
【請求項３】
電極基板から突設した突出端を鋭利に形成した接触用突部と、この接触用突部の外側を囲むように前記電極基板から突設した前記接触用突部よりも突出長が小さい補強用環状突部と、を有する下側電極板と、
前記下側電極板上に対向配置した平板状の上側電極板と、
前記下側電極板、上側電極板間に介在したスポンジ材等からなる弾性絶縁材と、
を有することを特徴とするスイッチ電極。
【請求項４】
電極基板から突設した突出端を鋭利に形成した接触用突部と、この接触用突部の外側を囲むように前記電極基板から突設した前記接触用突部よりも突出長が小さい補強用環状突部と、を有する上側電極板と、
電極基板から突設した突出端を鋭利に形成した接触用突部と、この接触用突部の外側を囲むように前記電極基板から突設した前記接触用突部よりも突出長が小さい補強用環状突部と、を有し、前記上側電極板と対向配置した下側電極板と、
前記下側電極板、上側電極板間に介在したスポンジ材等からなる弾性絶縁材と、
を有することを特徴とするスイッチ電極。
【請求項５】
突出端を鋭利に形成した接触用突部と、この接触用突部の外側を囲む配置で、且つ、前記接触用突部よりも突出長が小さい補強用環状突部とを突設した電極基板を、間隔を隔て複数個列設するとともに、各電極基板を導電性の連結片で連結したことを特徴とするスイッチ電極用平面電極板。
【請求項６】
突出端を鋭利に形成した接触用突部と、この接触用突部の外側を囲む配置で、且つ、前記接触用突部よりも突出長が小さい補強用環状突部とを突設した矩形状の電極基板を、間隔を隔て複数個縦横に、且つ、全体として矩形状に列設するとともに、前記各電極基板を導電性の連結片で連結したことを特徴とするスイッチ電極用平面電極板。
【請求項７】
突出端を鋭利に形成した接触用突部と、この接触用突部の外側を囲む配置で、且つ、前記接触用突部よりも突出長が小さい補強用環状突部とを突設した矩形状の電極基板を、間隔を隔て複数個縦横に、且つ、全体として矩形状に列設するとともに、前記各電極基板を導電性の連結片で連結したスイッチ電極用平面電極板と、
このスイッチ電極用平面電極板と対向配置した電極板と、
前記スイッチ電極用平面電極板、電極板間に介在した弾性絶縁材と、
これらの外周を覆う弾性絶縁材からなる外被と、
を有することを特徴とするマットスイッチ。
【請求項８】
突出端を鋭利に形成した接触用突部と、この接触用突部の外側を囲む配置で、且つ、前記接触用突部よりも突出長が小さい補強用環状突部とを突設した矩形状の電極基板を、間隔を隔て複数個縦横に、且つ、全体として矩形状に列設するとともに、前記各電極基板を導電性の連結片で連結して構成され、上側に配置したスイッチ電極用平面電極板と、
このスイッチ電極用平面電極板の下側に対向配置した平板状の電極板と、
前記スイッチ電極用平面電極板、電極板間に介在した弾性絶縁材と、
これらの外周を覆う弾性絶縁材からなる外被と、
を有することを特徴とするマットスイッチ。
【請求項９】
突出端を鋭利に形成した接触用突部と、この接触用突部の外側を囲む配置で、且つ、前記接触用突部よりも突出長が小さい補強用環状突部とを突設した矩形状の電極基板を、間隔を隔て複数個縦横に、且つ、全体として矩形状に列設するとともに、前記各電極基板を導電性の連結片で連結して構成され、下側に配置したスイッチ電極用平面電極板と、
このスイッチ電極用平面電極板の上側に対向配置した平板状の電極板と、
前記スイッチ電極用平面電極板、電極板間に介在した弾性絶縁材と、
これらの外周を覆う弾性絶縁材からなる外被と、
を有することを特徴とするマットスイッチ。
【請求項１０】
突出端を鋭利に形成した接触用突部と、この接触用突部の外側を囲む配置で、且つ、前記接触用突部よりも突出長が小さい補強用環状突部とを突設した矩形状の電極基板を、間隔を隔て複数個縦横に、且つ、全体として矩形状に列設するとともに、前記各電極基板を導電性の連結片で連結して構成され、下側に配置したスイッチ電極用平面電極板と、
突出端を鋭利に形成した接触用突部と、この接触用突部の外側を囲む配置で、且つ、前記接触用突部よりも突出長が小さい補強用環状突部とを突設した矩形状の電極基板を、間隔を隔て複数個縦横に、且つ、全体として矩形状に列設するとともに、前記各電極基板を導電性の連結片で連結して構成され、前記スイッチ電極用平面電極板の上側に対向配置したスイッチ電極用平面電極板と、
前記両スイッチ電極用平面電極板間に介在した弾性絶縁材と、
これらの外周を覆う弾性絶縁材からなる外被と、
を有することを特徴とするマットスイッチ。
【発明の詳細な説明】
【技術分野】
【０００１】
本発明は、新規なスイッチ電極、スイッチ電極用平面電極板及びマットスイッチに関するものである。
【背景技術】
【０００２】
住宅やビル等において、夜間等における不審者の侵入を検出する防犯目的でマット体に長尺スイッチ等を配列したマットスイッチが用いられている。
【０００３】
このようなマットスイッチの従来例を以下に概説する。
図１３に示す従来のマットスイッチ５１は、平板状で、且つ、所定間隔をもって上方に突設した突部５３を有する絶縁体５２と、この絶縁体５２上に配置した平板状で、且つ、前記突部５３に対応する位置にこの突部５３が貫通する開口５４を設けた導電金属材からなる下部電極板５５と、この下部電極板５５上において前記突部５３の上面に下面が当接することで前記下部電極板５５と小間隔を隔てる状態に配置した導電金属材からなる上部電極板５６と、これらの下面、上面を含む外周を覆う絶縁材からなる外被５７と、を有している。
【０００４】
このマットスイッチ５１は、前記突部５３が無い位置でマットスイッチ５１の上面に不審者等が載り外力Ｆが作用すると、上部電極板５６が下方に撓み下部電極板５５と接触してオン状態となることを利用し、不審者等の存在を示す検出信号を得るようにしたものである。
【０００５】
しかし、前記マットスイッチ５１の場合、導電金属材からなる下部電極板５５、上部電極板５６を具備する構造のため、全体形状を矩形以外の形状とすることはコスト的に割高となり、また、運搬や保管の便宜のために巻いたり畳んだりすることはできないという制約がある。
【０００６】
また、前記絶縁体５２上に上部電極板５６を支えるための突部５３を設けたり、下部電極板５５に開口５４を設ける必要があり、製造工程が煩雑となってしまう。
【０００７】
図１４に示す従来のマットスイッチ６１は、平らで弾性絶縁材からなるマット体６２に複数の長尺スイッチ６３を平行配置に内蔵し、長尺スイッチ６３の上部に不審者等が載り外力Ｆが作用したとき、長尺スイッチ６３がオン状態になることを利用し、不審者等の存在を示す検出信号を得るようにしたものである。
【０００８】
このマットスイッチ６１の場合、複数の長尺スイッチ６３間の渡り配線が必要で、製作に手間がかかるとともに、個々の長尺スイッチ６３と長尺スイッチ６３との間の領域は必然的に不感知部となり、不審者等の検出能の点で必ずしも十分ではない。
【０００９】
図１５、図１６に示す従来のマットスイッチ７１は、柔軟な絶縁材からなり開口７３を設けた平板状の絶縁体７２の上下両面に、平編線又は柔軟性のある薄膜に導電体を固着させた柔軟な電極板７４、７５を添設し、これらの外周を柔軟な絶縁材からなる外被７６により覆ったものである。
【００１０】
このマットスイッチ７１は、図１６に示すように、前記開口７３の上方から人間等による踏み圧、すなわち、外力Ｆが作用すると、外被７６を介して電極板７４が下方に撓み電極板７５と接触しオン状態となる。これにより、人間等の存在を示す検出信号を得ることができる。
【００１１】
この従来のマットスイッチ７１の場合、上述した構造から巻くことは可能であるものの電極板７４の形状復元性が十分でなく、誤動作し易いとともに、平板状の絶縁体７２に外力Ｆが作用した時に電極板７４、７５が接触するための開口７３が必須となるとともに、開口７３が存在しない領域は必然的に不感知部となり、不審者等の検出能の点で必ずしも十分ではない。
【００１２】
特許文献１には、下側に２本の電極線を用いた下側電極を、上側に下側電極に対向する通電用線を用いた上側電極を配置してスイッチ部とするとともに、このスイッチ部を絶縁部により間隔を隔てて複数個配列したマットスイッチが提案されている。
【００１３】
しかし、この特許文献１のマットスイッチの場合も、絶縁部が存在する領域は不感知部となってしまう。
【特許文献１】特開２００２−０６３８２７号公報
【発明の開示】
【発明が解決しようとする課題】
【００１４】
本発明が解決しようとする問題点は、巻くことができ、不感知部が少なく不審者等の検出能に優れ、渡り配線が不要で製造し易く、更に、スイッチ電極の復元性が良好で動作安定性にも優れたマットスイッチが存在しない点である。また、かかるマットスイッチを容易に構成し得るスイッチ電極及びスイッチ電極用平面電極板が存在しない点である。
【課題を解決するための手段】
【００１５】
本発明のマットスイッチは、突出端を鋭利に形成した接触用突部と、この接触用突部の外側を囲む配置で、且つ、前記接触用突部よりも突出長が小さい補強用環状突部とを突設した矩形状の電極基板を間隔を隔て複数個縦横に、且つ、全体として矩形状に列設するとともに、前記各電極基板を導電性の連結片で連結したスイッチ電極用平面電極板と、このスイッチ電極用平面電極板と対向配置した電極板と、前記スイッチ電極用平面電極板、電極板間に介在した弾性絶縁材と、これらの外周を覆う弾性絶縁材からなる外被と、を有することを最も主要な特徴とする。
【発明の効果】
【００１６】
本発明によれば以下の効果を奏する。
請求項１記載の発明によれば、一方の電極板における突出端を鋭利に形成した接触用突部又は補強用環状突部の上方から人間等の踏み圧、すなわち、外力が作用するとき、接触用突部の鋭利な突出端が弾性絶縁材の一部を切開して他方の電極板に接触してオン状態となり、また、外力が無くなると、弾性絶縁材の弾性力及び補強用環状突部の撓みに対する復元力の相互作用で接触用突部は初期位置に戻ることから、良好なスイッチ作用を発揮できるとともにオン状態から初期位置への復元性が良好で動作安定性に優れたスイッチ電極を提供することができる。
【００１７】
請求項２記載の発明によれば、上側電極板における突出端を鋭利に形成した接触用突部又は補強用環状突部の上方から人間等の踏み圧、すなわち、外力が作用するとき、接触用突部の鋭利な突出端が弾性絶縁材の一部を切開して下側電極板に接触してオン状態となり、また、外力が無くなると、弾性絶縁材の弾性力及び補強用環状突部の撓みに対する復元力の相互作用で接触用突部は初期位置に戻ることから、良好なスイッチ作用を発揮できるとともにオン状態から初期位置への復元性が良好で動作安定性に優れたスイッチ電極を提供することができる。
【００１８】
請求項３記載の発明によれば、上側電極板を平板状とし、下側電極板を突出端を鋭利に形成した接触用突部及び補強用環状突部を有する構成として、請求項２記載の発明と同様、良好なスイッチ作用を発揮できるとともにオン状態から初期位置への復元性が良好で動作安定性に優れたスイッチ電極を提供することができる。
【００１９】
請求項４記載の発明によれば、上側電極板及び下側電極板双方を突出端を鋭利に形成した接触用突部及び補強用環状突部を有する構成として、請求項２記載の発明と同様、良好なスイッチ作用を発揮できるとともにオン状態から初期位置への復元性が良好で動作安定性に優れたスイッチ電極を提供することができる。
【００２０】
請求項５記載の発明によれば、突出端を鋭利に形成した接触用突部と、この接触用突部の外側を囲む配置で、且つ、前記接触用突部よりも突出長が小さい補強用環状突部とを突設した電極基板を間隔を隔て複数個列設するとともに、各電極基板を導電性の連結片で連結したことにより、個々の電極基板において良好なスイッチ作用を発揮できるとともにオン状態から初期位置への復元性が良好で動作安定性に優れ、マットスイッチ等に用いて好適なスイッチ電極用平面電極板を提供することができる。
【００２１】
請求項６記載の発明によれば、突出端を鋭利に形成した接触用突部と、この接触用突部の外側を囲む配置で、且つ、前記接触用突部よりも突出長が小さい補強用環状突部とを突設した矩形状の電極基板を間隔を隔て複数個縦横に、且つ、全体として矩形状に列設するとともに、前記各電極基板を導電性の連結片で連結したことにより、請求項５記載の発明と同様、縦横に配列した個々の電極基板において良好なスイッチ作用を発揮できるとともにオン状態から初期位置への復元性が良好で動作安定性に優れ、マットスイッチ等に用いて好適なスイッチ電極用平面電極板を提供することができる。
【００２２】
請求項７記載の発明によれば、上述したスイッチ電極用平面電極板を電極板と対向配置に組み込み、スイッチ電極用平面電極板、電極板間に弾性絶縁材を介在させ、これらの外周を覆う弾性絶縁材からなる外被で覆った構成で、巻くことができ、不感知部が少なく不審者等の検出能に優れ、渡り配線が不要で製造し易く、更に、スイッチ電極の復元性が良好で動作安定性にも優れたマットスイッチを提供することができる。
【００２３】
請求項８記載の発明によれば、上述したスイッチ電極用平面電極板を上側に、平板状の電極板をスイッチ電極用平面電極板の下側にしてこれらを対向配置するとともに、スイッチ電極用平面電極板、電極板間に弾性絶縁材を介在させ、これらの外周を覆う弾性絶縁材からなる外被で覆った構成で、巻くことができ、不感知部が少なく不審者等の検出能に優れ、渡り配線が不要で製造し易く、更に、スイッチ電極の復元性が良好で動作安定性にも優れたマットスイッチを提供することができる。
【００２４】
請求項９記載の発明によれば、上述したスイッチ電極用平面電極板を下側に、平板状の電極板をスイッチ電極用平面電極板の上側にしてこれらを対向配置するとともに、スイッチ電極用平面電極板、電極板間に弾性絶縁材を介在させ、これらの外周を覆う弾性絶縁材からなる外被で覆った構成で、巻くことができ、不感知部が少なく不審者等の検出能に優れ、渡り配線が不要で製造し易く、更に、スイッチ電極の復元性が良好で動作安定性にも優れたマットスイッチを提供することができる。
【００２５】
請求項１０記載の発明によれば、上述したスイッチ電極用平面電極板を上下対向配置しつつ、両スイッチ電極用平面電極板間に弾性絶縁材を介在させ、これらの外周を覆う弾性絶縁材からなる外被で覆った構成で、巻くことができ、不感知部が少なく不審者等の検出能に優れ、渡り配線が不要で製造し易く、更に、スイッチ電極の復元性が良好で動作安定性にも優れたマットスイッチを提供することができる。
【発明を実施するための最良の形態】
【００２６】
本発明は、巻くことができ、不感知部が少なく不審者等の検出能に優れ、渡り配線が不要で製造し易く、更に、スイッチ電極の復元性が良好で動作安定性にも優れたマットスイッチを提供するという目的を、突出端を鋭利に形成した接触用突部と、この接触用突部の外側を囲む配置で、且つ、前記接触用突部よりも突出長が小さい補強用環状突部とを突設した矩形状の電極基板を間隔を隔て複数個縦横に、且つ、全体として矩形状に列設するとともに、前記各電極基板を導電性の連結片で連結して構成され、上側に配置したスイッチ電極用平面電極板と、このスイッチ電極用平面電極板の下側に対向配置した平板状の電極板と、前記スイッチ電極用平面電極板、電極板間に介在した弾性絶縁材と、これらの外周を覆う弾性絶縁材からなる外被と、を有する構成により実現した。
【実施例】
【００２７】
以下に、本発明の実施例を詳細に説明する。
（実施例１）
本発明の実施例１に係るスイッチ電極１について図１乃至３を参照して説明する。
本実施例１に係るスイッチ電極１は、図１、図３に示すように、矩形状の薄板導電板（銅板等）からなる電極基板２と、この電極基板２の中央部において下方に向けて突設（突設長Ｌ１）した突出端３ａを鋭利に形成した接触用突部３と、この接触用突部３の外側を囲むように前記電極基板２から下方に向けて突設した前記接触用突部３よりも突出長Ｌ２（Ｌ２＜Ｌ１）が小さい補強用環状突部４とを有する上側電極板５と、この上側電極板５と対向配置した矩形状の薄板導電板（銅板等）からなる平板状の下側電極板６と、前記上側電極板５、下側電極板６間に介在したスポンジ材等からなる弾性絶縁材７と、を有している。
【００２８】
前記接触用突部３及び補強用環状突部４は、例えば電極基板２に対するプレス加工により同心的に形成している。また、前記接触用突部３はその突出端３ａが鋭利（鋭角）となるように形成され、且つ、この接触用突部３を下面側から見たとき、角錐状の凹部空間を呈する形状としている。前記補強用環状突部４は、接触用突部３と同心配置の環状で、且つ、その突出端４ａは例えば球面状に形成している。
【００２９】
本実施例１に係るスイッチ電極１によれば、図２に示すように、このスイッチ電極１の接触用突部３又は補強用環状突部４の上方から人間等の踏み圧、すなわち、外力Ｆが作用するとき、前記接触用突部３及び補強用環状突部４は弾性絶縁材７を押圧しつつ下方に撓み、接触用突部３の鋭利な突出端３ａが弾性絶縁材７の一部を切開して下側電極板６に接触する。これにより、スイッチ電極１はオン状態となり、人間等の存在を示す検出信号を得ることができる。
【００３０】
また、前記外力Ｆが無くなると、弾性絶縁材７の弾性力及び補強用環状突部４の撓みに対する復元力の相互作用で前記接触用突部３は初期位置に戻る。
【００３１】
このような本実施例１に係るスイッチ電極１によれば、オン状態から初期位置への復元性が良好で動作安定性に優れたスイッチ電極構造を提供することができる。
【００３２】
（実施例２）
本発明の実施例２に係るスイッチ電極１１について図４、図５を参照して説明する。
本実施例２に係るスイッチ電極１１は、実施例１のスイッチ電極１と同様な構成であるがスイッチ電極１の構造を上下反転したことが特徴である。
【００３３】
すなわち、本実施例２に係るスイッチ電極１１は、矩形状の薄板導電板（銅板等）からなる電極基板２と、この電極基板２の中央部において上方に向けて突設した突出端３ａを鋭利に形成した接触用突部３と、この接触用突部３の外側を囲むように前記電極基板２から上方に向けて突設した前記接触用突部３よりも突出長が小さい補強用環状突部４とを有する下側電極板１５と、この下側電極板１５と対向配置した矩形状の薄板導電板（銅板等）からなる平板状の上側電極板１６と、前記下側電極板１５、上側電極板１６間に介在したスポンジ材等からなる弾性絶縁材７と、を有している。
【００３４】
本実施例２に係るスイッチ電極１１によれば、図５に示すように、このスイッチ電極１１の上側電極板１６の上方から人間等の踏み圧、すなわち、外力Ｆが作用するとき、前記上側電極板１６は弾性絶縁材７を押圧しつつ下方に降下し、このとき、接触用突部３の鋭利な突出端３ａが弾性絶縁材７の一部を切開して押圧降下する上側電極板１６に前記鋭利な突出端３ａが接触する。
【００３５】
これにより、スイッチ電極１１はオン状態となり、人間等の存在を示す検出信号を得ることができる。また、前記外力Ｆが無くなると、弾性絶縁材７の弾性力で前記接触用突部３は初期位置に戻る。
【００３６】
このような本実施例２に係るスイッチ電極１１によっても、オン状態から上側電極板１６の初期位置への復元性が良好で動作安定性に優れたスイッチ電極構造を提供することができる。
【００３７】
（実施例３）
本発明の実施例３に係るスイッチ電極２１について図６、図７を参照して説明する。
なお、図６、図７において、実施例１のスイッチ電極１の要素と同一の要素には同一の符号を付して示す。
【００３８】
本実施例３に係るスイッチ電極２１は、実施例１のスイッチ電極１における上側電極板５と同様な構造の上側電極板２５と、同じく実施例１のスイッチ電極１における上側電極板５と同様な構造の下側電極板２６とをスポンジ材等からなる弾性絶縁材７を介在させて上下対向配置したことが特徴である。
【００３９】
すなわち、本実施例３に係るスイッチ電極２１は、弾性絶縁材７を挟んで上側電極板２５、下側電極板２６の両接触用突部３及び両補強用環状突部４を対向配置したものである。
【００４０】
本実施例３に係るスイッチ電極２１において、図７に示すように、このスイッチ電極２１の接触用突部３又は補強用環状突部４の上方から人間等の踏み圧、すなわち、外力Ｆが作用するとき、前記接触用突部３及び補強用環状突部４は弾性絶縁材７を押圧しつつ下方に撓み、接触用突部３の鋭利な突出端３ａが弾性絶縁材７の一部を切開する。
【００４１】
また、下側電極板２６における接触用突部３の鋭利な突出端３ａも弾性絶縁材７の一部を切開する。
【００４２】
この結果、上側電極板２５、下側電極板２６の両接触用突部３同士が接触し、スイッチ電極２１はオン状態となり、人間等の存在を示す検出信号を得ることができる。
【００４３】
また、前記外力Ｆが無くなると、弾性絶縁材７の弾性力及び上側電極板２５における補強用環状突部４の撓みに対する復元力の相互作用で前記上側電極板２５の接触用突部３は初期位置に戻る。
【００４４】
このような本実施例３に係るスイッチ電極２１によれば、オン状態から上側電極板２５の初期位置への復元性が良好で動作安定性に優れたスイッチ電極構造を提供することができる。
【００４５】
（実施例４）
次に、本発明の実施例４に係るスイッチ電極用平面電極板３１について図８、図９を参照して説明する。
【００４６】
本実施例４のスイッチ電極用平面電極板３１は、図８、図９に示すように、既述した実施例１の上側電極板５の場合と同様、突出端３ａを鋭利に形成した接触用突部３と、この接触用突部３の外側を囲む配置で、且つ、前記接触用突部３よりも突出長が小さい補強用環状突部４とを突設した矩形状の電極基板２を、相互に間隔を隔て縦横に４個ずつ、合計１６個全体として矩形状に列設するとともに、各電極基板２を導電性の連結片２ａで隣り合うもの同士連結して構成している。
【００４７】
すなわち、このスイッチ電極用平面電極板３１は、四隅に位置する各電極基板２のみ２個の連結片２ａで、縦又は横に隣り合う他の電極基板２と連結し、四隅以外の最外部に位置する各電極基板２は各々３個の連結片２ａで縦又は横に隣り合う他の電極基板２と連結し、中央部に位置する合計４個の各電極基板２は各々４個の連結片２ａで縦又は横に隣り合う他の電極基板２と連結している。
【００４８】
前記連結片２ａは、細幅の直線状とする他、図９に示すように、細幅の鞍形状とし隣り合うもの同士の間隔を可変とする構成とすることができる。
【００４９】
また、本実施例４のスイッチ電極用平面電極板３１は、プレス成形加工により全体を一体成形することができる。更に、このスイッチ電極用平面電極板３１における電極基板２の列設個数は、上述した場合の他、用途に応じて２０個、３０個、４０個等任意の個数とすることができる。
【００５０】
本実施例４のスイッチ電極用平面電極板３１によれば、スイッチ電極の一部として組み込むことにより、既述した実施例１の上側電極板５の場合と同様な作用、効果を発揮させることができ、後述するマットスイッチ４１に使用して好適な電極板とすることができる。
【００５１】
（実施例５）
次に、本発明の実施例５に係るマットスイッチ４１について、図１０乃至図１２を参照して説明する。
【００５２】
本実施例５に係るマットスイッチ４１は、図１０乃至図１２に示すように、既述した実施例４の場合と同様、合計１６個の電極基板２を連結片２ａにより縦横に連結したスイッチ電極用平面電極板３１と、このスイッチ電極用平面電極板３１の下側に対向配置した薄板状導電板（銅板等）からなる平板状で前記スイッチ電極用平面電極板３１と外形寸法を同一とした電極板４２と、前記スイッチ電極用平面電極板３１、電極板４２間に介在した弾性絶縁材４３と、これらの外周を覆う弾性絶縁材からなる外被４４と、前記スイッチ電極用平面電極板３１、電極板４２の対応する隅部に接続した信号取り出し用の一対のリード線４５、４６と、を有し、全体として矩形状の平面を呈する構成としている。
【００５３】
本実施例５に係るマットスイッチ４１において、外被４４の上方から前記スイッチ電極用平面電極板３１のいずれかの接触用突部３又は補強用環状突部４に人間等の踏み圧、すなわち、外力Ｆが作用するとき、当該接触用突部３及び補強用環状突部４は弾性絶縁材４３を押圧しつつ下方に撓み、接触用突部３の鋭利な突出端３ａが弾性絶縁材４３の一部を切開して電極板４２に接触する。これにより、マットスイッチ４１はオン状態となり、前記リード線４５、４６を通じて人間等の存在を示す検出信号を得ることができる。
【００５４】
また、前記外力Ｆが無くなると、弾性絶縁材４３の弾性力及び補強用環状突部４の撓みに対する復元力の相互作用で前記接触用突部３は初期位置に戻る。
【００５５】
本実施例５によれば、オン状態からスイッチ電極用平面電極板３１の初期位置への復元性が良好で動作安定性に優れ、また、既述したマットスイッチ４１の構造から渦巻き状に巻いて運搬、保管の便宜を図ることができ、更に、前記スイッチ電極用平面電極板３１における電極基板２の寸法設定を適切にすることで不感知部が少なく不審者等の検出能に優れたマットスイッチ４１を提供することができる。
【００５６】
また、本実施例５によれば、スイッチ電極用平面電極板３１を使用することにより、従来例で述べたような複数の長尺スイッチを配置するマットスイッチに比べ渡り配線が不要で製造し易く、また、従来例で述べたような絶縁材に開口を設ける必要も無く、これらにより、製造コストの低減を図ることが可能なマットスイッチ４１を提供することができる。
【００５７】
本実施例５に係るマットスイッチ４１において、スイッチ電極用平面電極板３１、電極板４２の配置は、上述した場合の他、実施例２の場合と同様に、電極板４２を上側に、スイッチ電極用平面電極板３１を下側にした構成とすることもでき、この場合においても上述した場合と同様な作用、効果を発揮させることができる。
【００５８】
また、本実施例５に係るマットスイッチ４１において、実施例３の場合と同様に一対のスイッチ電極用平面電極板３１同士を上下対向配置した構成とすることもでき、この場合においても上述した場合と同様な作用、効果を発揮させることができる。
【００５９】
更に、本実施例５に係るマットスイッチ４１において、スイッチ電極用平面電極板３１における電極基板２の列設個数は、上述した場合の他、用途に応じて２０個、３０個、４０個等任意の個数とすることができ、これらに対応する寸法の電極板４２、弾性絶縁材４３及び外被４４を用いることで、より広面積のマットスイッチを構成することも可能である。
【産業上の利用可能性】
【００６０】
本発明のスイッチ電極、スイッチ電極用平面電極板は、マットスイッチの他、例えば不審者警備のための長尺スイッチ用、車輛のバンパーに取り付けるバンパースイッチ用等として広範に適用可能である。
【図面の簡単な説明】
【００６１】
【図１】本発明の実施例１に係るスイッチ電極の断面図である。
【図２】本実施例１に係るスイッチ電極のオン状態の断面図である。
【図３】本実施例１に係るスイッチ電極における上側電極板の平面図である。
【図４】本発明の実施例２に係るスイッチ電極の断面図である。
【図５】本実施例２に係るスイッチ電極のオン状態の断面図である。
【図６】本発明の実施例３に係るスイッチ電極の断面図である。
【図７】本実施例３に係るスイッチ電極のオン状態の断面図である。
【図８】本発明の実施例４に係るスイッチ電極用平面電極板の概略平面図である。
【図９】図８のＡ−Ａ線から見た部分側面図である。
【図１０】本発明の実施例５に係るマットスイッチの概略斜視図である。
【図１１】本実施例５に係るマットスイッチにおけるスイッチ電極用平面電極板を示す概略平面図である。
【図１２】本実施例５に係るマットスイッチの部分断面図である。
【図１３】従来のマットスイッチを示す部分断面図である。
【図１４】従来のマットスイッチの他例を示す部分断面図である。
【図１５】従来のマットスイッチの更に別の例を示す部分断面図である。
【図１６】図１５に示すマットスイッチのオン状態の部分断面図である。
【符号の説明】
【００６２】
１    スイッチ電極
２    電極基板
２ａ  連結片
３    接触用突部
３ａ  突出端
４    補強用環状突部
４ａ  突出端
５    上側電極板
６    下側電極板
７    弾性絶縁材
１１    スイッチ電極
１５    下側電極板
１６    上側電極板
２１    スイッチ電極
２５    上側電極板
２６    下側電極板
３１    スイッチ電極用平面電極板
４１    マットスイッチ
４２    電極板
４３    弾性絶縁材
４４    外被
４５    リード線
４６    リード線
【図１】
2008159422.tif 000003
【図２】
2008159422.tif 000004
【図３】
2008159422.tif 000005
【図４】
2008159422.tif 000006
【図５】
2008159422.tif 000007
【図６】
2008159422.tif 000008
【図７】
2008159422.tif 000009
【図８】
2008159422.tif 000010
【図９】
2008159422.tif 000011
【図１０】
2008159422.tif 000012
【図１１】
2008159422.tif 000013
【図１２】
2008159422.tif 000014
【図１３】
2008159422.tif 000015
【図１４】
2008159422.tif 000016
【図１５】
2008159422.tif 000017
【図１６】
2008159422.tif 000018